(57)【要約】【課題】  不使用時には平面状に折り畳んでおくことができ、使用時には立体状に組み立てることができる組立式の漏斗に関し、収納容器の口部に立設する際に安定的に立設させることができ、小径開口部及び大径開口部の面積を広く確保することができるとともに、かつ、多機能の組立式漏斗を提供する。【解決手段】  組立式漏斗１は、漏斗本体２と、脚部３と、係止部４とからなる。漏斗本体２は、少なくとも四枚以上の偶数枚からなる平面視台形状のパネル部材を環状に繋ぎ合わせて形成されており、立体状に組み立てた際に側面から見た開き角度が鈍角になるように形成されている。脚部３は、複数の柱状部材から形成されており、漏斗本体２の下部から軸方向に延設されており、漏斗本体２を形成するパネル部材に一つ置きに取り付けられている。係止部４は、漏斗本体２の外周面から外側に向かって突出している。【選択図】      図４
2014181041.tif 000002
【特許請求の範囲】
【請求項１】
不使用時には平面状に折り畳んでおくことができ、使用時には立体状に組み立てることができる組立式の漏斗であって、漏斗本体と、脚部と、係止部とからなり、該漏斗本体は、少なくとも四枚以上の偶数枚からなる平面視台形状のパネル部材を環状に繋ぎ合わせて形成されており、該パネル部材を繋ぎ合わせている箇所は溝状の折り曲げ部になっているとともに、立体状に組み立てた際に側面から見た開き角度が鈍角になるように形成されており、該脚部は、複数の柱状部材から形成されており、該漏斗本体の下部から軸方向に延設されていて、該漏斗本体を形成する個々のパネル部材に一つ置きに取り付けられており、該係止部は、該漏斗本体の外周面から外側に向かって突出するようにして設けられていることを特徴とする組立式漏斗。
【請求項２】
請求項１に記載した組立式漏斗であって、前記漏斗本体は、六枚の平面視台形状のパネル部材を環状に繋ぎ合わせて形成されており、前記脚部は、三本の柱状部材から形成されており、該漏斗本体を形成する個々のパネル部材の内の三枚に一つ置きに取り付けられていることを特徴とする組立式漏斗。
【請求項３】
請求項１又は２に記載した組立式漏斗であって、前記漏斗本体の内周面には該組立式漏斗を平面状に折り畳んだ際に該漏斗本体の内周面に残留している収納物により、その内周面が接着されることを防止するための接着防止部が該内周面から突出するようにして設けられていることを特徴とする組立式漏斗。
【請求項４】
請求項１から３までの何れかに記載した組立式漏斗１であって、嵌合部が設けられており、該嵌合部は、前記漏斗本体を形成するパネル部材の内の対向する位置にある少なくとも二枚のパネル部材に凹凸状に設けられていることを特徴とする組立式漏斗。
【請求項５】
請求項１から４までの何れかに記載した組立式漏斗であって、折り曲げ部が設けられており、該折り曲げ部は、前記漏斗本体を形成するパネル部材の内の前記脚部が延設されていないパネル部材における中央下部に溝状に設けられていることを特徴とする組立式漏斗。
【請求項６】
請求項１から５までの何れかに記載した組立式漏斗であって、鍔部が設けられており、該鍔部は、略半円状のパネル部材であって、前記漏斗本体を形成する個々のパネル部材の上辺から延設されていることを特徴とする組立式漏斗。
【請求項７】
請求項６に記載した組立式漏斗１であって、前記鍔部には該組立式漏斗をフック部材に係止させるための孔部が穿設されていることを特徴とする組立式漏斗。
【請求項８】
請求項６又は７に記載した組立式漏斗であって、前記鍔部には蓋部材がポンプ部材となっている蓋付きの収納容器の蓋部材を前記漏斗本体の内部に収容する際に該蓋部材を係止するための係止突起が設けられていることを特徴とする組立式漏斗。
【発明の詳細な説明】
【技術分野】
【０００１】
本発明は、不使用時には平面状に折り畳んでおくことができ、使用時には立体状に組み立てることができる組立式の漏斗に関するものである。
【背景技術】
【０００２】
従来、漏斗としては、一般に、一端をペットボトル又は瓶等の各種の収納容器に収納する液体又は粉状物等の収納物を注ぎ入れるための大径開口部とするとともに、他端を該収納容器の口部内へと差し入れて該収納容器内へと該収納物を吐き出すための小径開口部とする各種の金属又はプラスチック材料をラッパ状に成形した漏斗が提供されてきたところである。
【０００３】
しかしながら、このような一般に用いられている漏斗は、上記のように、ラッパ状に成形されていることから、嵩張ってしまうとともに姿勢が安定しないという問題があったために、その保管及び運搬を行い難いという問題があった。即ち、該漏斗を保管する際には場所をとってしまうとともに転がってしまうという問題があり、また、該漏斗を運搬する際には持ち運び難いという問題があったところである。更に、その用途に応じて漏斗を使い分けている場合のように、複数の漏斗を用いるときに、保管する場所をとらないように漏斗を積み重ねておくと、使用した漏斗に残留する汚れが別の漏斗に移って付着してしまうという問題も生じていた。
【０００４】
そこで、不使用時には平面状に折り畳んでおくことができ、使用時には立体状に組み立てることができる組立式の漏斗が提供されてきたところであり、例えば、図６に図示するように、立体状に組み立てた際に略多角錐状に形成される組立式の漏斗等が提供されている（例えば、特許文献１，２，３，及び４参照。）。
【０００５】
上記のような組立式漏斗は、平面状に折り畳んでおけば、嵩張らないとともに姿勢が安定するために、その保管及び運搬を簡便に行うことができる。即ち、該組立式漏斗は、平面状に折り畳んでおけば、該漏斗を保管する際に場所をとることはなく、転がってしまうという問題もなく、また、該組立式漏斗を運搬する際も簡便に持ち運ぶことができる。更に、複数の漏斗を保管する際に場所をとらないように積み重ねておいても、平面状に折り畳んでおけば、使用した漏斗に残留する汚れが別の漏斗に移って付着してしまうという問題もない。
【先行技術文献】
【特許文献】
【０００６】
【特許文献１】特開２００９−２８６４１３号公報
【特許文献２】実開昭６３−１３７７９８号公報
【特許文献３】実開昭４９−０７５４１２号公報
【特許文献４】実開昭４９−０４３８１１号公報
【発明の概要】
【発明が解決しようとする課題】
【０００７】
ここで、上記の従来技術に係る組立式漏斗は、図６に図示するように、立体状に組み立てた際には略多角錐状に形成されることになる。よって、該組立式漏斗を収納容器の口部に立設する際には、図６に図示するように、該組立式漏斗の折り曲げ部が該口部の上縁部と当接する箇所においてのみ支持されることになる。そうすると、該組立式漏斗を該口部に安定的に立設することが難しいために、該組立式漏斗を使用している際に転倒する等の事態が生じ易くなり、収納物を収納容器内に上手く収納することができないといった問題を生じる。
【０００８】
そこで、本発明が解決しようとする第一の課題は、不使用時には平面状に折り畳んでおくことができ、使用時には立体状に組み立てることができる組立式の漏斗に関し、収納容器の口部に立設する際に安定的に立設させることができる組立式漏斗を提供することにある。
【０００９】
また、上記の従来技術に係る組立式漏斗は、図６に図示するように、該組立式漏斗を該口部に比較的安定的に立設しようとすると、該小径開口部側を該口部内へと深く挿し入れる必要があるために、全体的に長細い形状とせざるを得ないところである。そうすると、該小径開口部の面積もいきおい狭くならざるを得ないため、該組立式漏斗を用いて収納容器内に収納物を収納するには多大な時間を要してしまうという問題があった。
【００１０】
そこで、本発明が解決しようとする第二の課題は、不使用時には平面状に折り畳んでおくことができ、使用時には立体状に組み立てることができる組立式の漏斗に関し、該小径開口部の面積を広く確保することができるようにして、該収納容器内に収納物を収納するに際して要する時間を短縮する組立式漏斗を提供することにある。
【００１１】
あわせて、上記の従来技術に係る組立式漏斗は、全体的に長細い形状とせざるを得ないことから、上記のように該小径開口部の面積を狭くせざるを得ないのと同様に、該大径開口部の面積もいきおい狭くせざるを得ないために、使用者が該大径開口部に収納物を注ぎ込む際に、該収納物が該組立式漏斗から外部に漏れ出し易いという問題があった。
【００１２】
そこで、本発明が解決しようとする第三の課題は、不使用時には平面状に折り畳んでおくことができ、使用時には立体状に組み立てることができる組立式の漏斗に関し、該大径開口部の面積を広く確保することができるようにして、使用者が該大径開口部に収納物を注ぎ込む際に、該収納物が該組立式漏斗から外部に漏れ出し難くした組立式漏斗を提供することにある。
【００１３】
次に、例えば、液状の洗髪剤を収納する容器に対する該洗髪剤の詰め替え作業を行う場合のように、蓋部材がポンプ部材となっている蓋付きの収納容器に収納物を収納するときには、該収納容器から取り外した該蓋部材に接続されている吸出しパイプ内に残留している収納物が漏れ出してしまうという問題がある。そうすると、上記の従来技術に係る組立式漏斗によれば、使用者は上記のような作業を行う周囲に蓋部材を一時的に置いておかざるを得ないため、該吸出しパイプ内に残留している収納物が漏れ出して周囲を汚染してしまうという問題があった。
【００１４】
そこで、本発明が解決しようとする第四の課題は、不使用時には平面状に折り畳んでおくことができ、使用時には立体状に組み立てることができる組立式の漏斗に関し、蓋部材がポンプ部材となっている蓋付きの収納容器に係る吸出しパイプ内に残留している収納物が周囲に漏れ出して汚染することを防止する組立式漏斗を提供することにある。
【００１５】
ところで、上記の従来技術に係る組立式漏斗を用いて粘性の高い収納物を収納容器内へと収納した後に、該組立式漏斗を平面状に折り畳んで閉じた状態にすると、該組立式漏斗の内周面に僅かながら残留している収納物により、その内周面が接着されてしまうため、該組立式漏斗を再度使用する際に開き難くなってしまうという問題があった。
【００１６】
そこで、本発明が解決しようとする第五の課題は、不使用時には平面状に折り畳んでおくことができ、使用時には立体状に組み立てることができる組立式の漏斗に関し、該組立式漏斗の内周面に残留している収納物により、その内周面が接着されることを防止する組立式漏斗を提供することにある。
【００１７】
そして、上記の従来技術に係る組立式漏斗は、立体状に組み立てられている時間が長いといわゆる開き癖が付いてしまうことがあり、該組立式漏斗を平面状に折り畳んで閉じた状態にして保管する際に不用意に開いた状態になってしまうために、該組立式漏斗の保管及び運搬を行い難くなるという問題があった。
【００１８】
そこで、本発明が解決しようとする第六の課題は、不使用時には平面状に折り畳んでおくことができ、使用時には立体状に組み立てることができる組立式の漏斗に関し、該組立式漏斗を平面状に折り畳んで閉じた状態にして保管する際に、不用意に開いた状態になることを防止する組立式漏斗を提供することにある。
【００１９】
最後に、収納容器の口部の口径は様々であるにも拘らず、上記の従来技術に係る組立式漏斗は、該小径開口部の口径が一定であるために、とりわけ該口部の口径が該小径開口部の口径よりも小さいものである場合には、該組立式漏斗を使用することが困難であるという問題があった。
【００２０】
そこで、本発明が解決しようとする第七の課題は、不使用時には平面状に折り畳んでおくことができ、使用時には立体状に組み立てることができる組立式の漏斗に関し、使用者が収納容器の口部の口径に合わせて該小径開口部の口径を調節することができる組立式漏斗を提供することにある。
【課題を解決するための手段】
【００２１】
本発明は、上記の各課題を解決するために提案されたものであり、以下の構成を有するものである。以下では、本発明の構成を理解することを補助するために、本願に添付した図面に表示した番号及び符号を併せて記載する。
【００２２】
本発明の第一から第四までの課題を解決するため、請求項１に記載した組立式漏斗１は、不使用時には平面状に折り畳んでおくことができ、使用時には立体状に組み立てることができる組立式の漏斗であって、漏斗本体２と、脚部３と、係止部４とからなる。漏斗本体２は、少なくとも四枚以上の偶数枚からなる平面視台形状のパネル部材を環状に繋ぎ合わせて形成されており、該パネル部材を繋ぎ合わせている箇所は溝状の折り曲げ部２ｃになっているとともに、立体状に組み立てた際に側面から見た開き角度が鈍角になるように形成されている。脚部３は、複数の柱状部材から形成されており、漏斗本体２の下部から軸方向に延設されていて、漏斗本体２を形成する個々のパネル部材に一つ置きに取り付けられている。係止部４は、漏斗本体２の外周面から外側に向かって突出するようにして設けられている。
【００２３】
請求項２に記載した組立式漏斗１は、請求項１に記載した組立式漏斗であって、漏斗本体２は、六枚の平面視台形状のパネル部材を環状に繋ぎ合わせて形成されており、脚部３は、三本の柱状部材から形成されており、漏斗本体２を形成する個々のパネル部材の内の三枚に一つ置きに取り付けられている。
【００２４】
本発明の第五の課題を解決するため、請求項３に記載した組立式漏斗１は、請求項１又は２に記載した組立式漏斗であって、漏斗本体２の内周面には組立式漏斗１を平面状に折り畳んだ際に漏斗本体２の内周面に残留している収納物により、その内周面が接着されることを防止するための接着防止部２ｄが該内周面から突出するようにして設けられている。
【００２５】
本発明の第六の課題を解決するため、請求項４に記載した組立式漏斗１は、請求項１から３までの何れかに記載した組立式漏斗であって、嵌合部６が設けられており、嵌合部６は、漏斗本体２を形成するパネル部材の内の対向する位置にある少なくとも二枚のパネル部材に凹凸状に設けられている。
【００２６】
本発明の第七の課題を解決するため、請求項５に記載した組立式漏斗１は、請求項１から４までの何れかに記載した組立式漏斗であって、折り曲げ部２ｅが設けられており、折り曲げ部２ｅは、漏斗本体２を形成するパネル部材の内の脚部３が延設されていないパネル部材における中央下部に溝状に設けられている。
【００２７】
請求項６に記載した組立式漏斗１は、請求項１から５までの何れかに記載した組立式漏斗であって、鍔部５が設けられており、鍔部５は、略半円状のパネル部材であって、漏斗本体２を形成する個々のパネル部材の上辺から延設されている。
【００２８】
請求項７に記載した組立式漏斗１は、請求項６に記載した組立式漏斗であって、鍔部５には組立式漏斗１をフック部材に係止させるための孔部５ａが穿設されている。
【００２９】
請求項８に記載した組立式漏斗１は、請求項６又は７に記載した組立式漏斗であって、鍔部５には蓋部材がポンプ部材となっている蓋付きの収納容器の蓋部材を漏斗本体２の内部に収容する際に該蓋部材を係止するための係止突起５ｂが設けられている。
【発明の効果】
【００３０】
本発明に係る組立式漏斗は、上記の通りの構成であるから、以下のような効果を奏することができる。
【００３１】
まず、請求項１に記載した組立式漏斗は、複数の柱状部材から形成されているとともに、前記漏斗本体の下部から軸方向に延設されている前記脚部を備えていることから、該組立式漏斗を収納容器の口部に立設する際には、該脚部を該口部内に挿し入れることによって、該組立式漏斗を該口部に安定的に立設することができる。
【００３２】
従って、請求項１に記載した組立式漏斗は、不使用時には平面状に折り畳んでおくことができ、使用時には立体状に組み立てることができる組立式の漏斗に関し、収納容器の口部に立設する際に安定的に立設させることができる組立式漏斗を提供するという本発明の第一の課題を解決することができる。
【００３３】
また、請求項１に記載した組立式漏斗は、上記のように、前記脚部を収納容器の口部内に挿し入れることによって、該組立式漏斗を該口部に安定的に立設することができるものであるから、従来技術に係る組立式漏斗のように、前記漏斗本体の小径開口部側を該口部内へと深く挿し入れるために該組立式漏斗の形状を全体的に長細い形状とする必要がない。そうすると、請求項１に記載した組立式漏斗は、該小径開口部の面積を広く確保することができることになる。
【００３４】
従って、請求項１に記載した組立式漏斗は、不使用時には平面状に折り畳んでおくことができ、使用時には立体状に組み立てることができる組立式の漏斗に関し、該小径開口部の面積を広く確保することができるようにして、該収納容器内に収納物を収納するに際して要する時間を短縮する組立式漏斗を提供するという本発明の第二の課題を解決することができる。
【００３５】
そして、請求項１に記載した組立式漏斗は、前記漏斗本体が該組立式漏斗を立体状に組み立てた際に側面から見た開き角度が鈍角になるように形成されているために、前記大径開口部の面積を広く確保することができる。また、該組立式漏斗は、該漏斗本体の外周面から外側に向かって突き出すようにして設けられている前記係止部を備えるものであるから、使用者が該組立式漏斗を一定の長さ以上に不用意に収納容器の口部内へと挿し入れてしまうことにより、該漏斗本体が窄まってしまうことを防止できる。
【００３６】
従って、請求項１に記載した組立式漏斗は、不使用時には平面状に折り畳んでおくことができ、使用時には立体状に組み立てることができる組立式の漏斗に関し、該大径開口部の面積を広く確保することができるようにして、使用者が該大径開口部に収納物を注ぎ込む際に、該収納物が該組立式漏斗の外部に漏れ出し難くした組立式漏斗を提供するという本発明の第三の課題を解決することができる。
【００３７】
そうすると、請求項１に記載した組立式漏斗は、上記の通り、前記大径開口部の面積が広く確保されているために、蓋部材がポンプ部材となっている蓋付きの収納容器から取り外した該蓋部材を前記漏斗本体の内部に収容しておくことができる。
【００３８】
従って、請求項１に記載した組立式漏斗は、不使用時には平面状に折り畳んでおくことができ、使用時には立体状に組み立てることができる組立式の漏斗に関し、蓋部材がポンプ部材となっている蓋付きの収納容器に係る吸出しパイプ内に残留している収納物が周囲に漏れ出して汚染することを防止する組立式漏斗を提供するという本発明の第四の課題を解決することができる。
【００３９】
とりわけ、請求項２に記載した組立式漏斗は、本発明が解決しようとする第一から第四までの課題を解決することができる組立式漏斗としては、最も簡便に形成することができるものであるから、一層好適である。
【００４０】
請求項３に記載した組立式漏斗は、前記の接着防止部が設けられていることにより、組立式漏斗１を平面状に折り畳んで閉じた状態にしても、前記漏斗本体の内周面には僅かな隙間が生じることから、該漏斗本体の内周面が接着されてしまうことを防止できる。
【００４１】
従って、請求項３に記載した組立式漏斗は、不使用時には平面状に折り畳んでおくことができ、使用時には立体状に組み立てることができる組立式の漏斗に関し、該組立式漏斗の内周面に残留している収納物により、その内周面が接着されることを防止する組立式漏斗を提供するという本発明の第五の課題を解決することができる。
【００４２】
請求項４に記載した組立式漏斗は、前記嵌合部が前記漏斗本体を形成するパネル部材の内の対向する位置にある少なくとも二枚のパネル部材に凹凸状に設けられていることによって、該組立式漏斗を平面状に折り畳んで閉じた状態を維持することができる。
【００４３】
従って、請求項４に記載した組立式漏斗は、不使用時には平面状に折り畳んでおくことができ、使用時には立体状に組み立てることができる組立式の漏斗に関し、該漏斗を平面状に折り畳んで閉じた状態にして保管する際に、不用意に開いた状態になることを防止する組立式漏斗を提供するという本発明の第六の課題を解決することができる。
【００４４】
請求項５に記載した組立式漏斗は、前記漏斗本体を形成するパネル部材の内の前記脚部が延設されていないパネル部材における中央下部に溝状の前記折り曲げ部が設けられているところ、使用者が該折り曲げ部に沿って該漏斗本体を適宜折り曲げることによって、収納容器の口部の口径に合わせて、前記小径開口部の口径を調節することができる。
【００４５】
従って、請求項５に記載した組立式漏斗は、不使用時には平面状に折り畳んでおくことができ、使用時には立体状に組み立てることができる組立式の漏斗に関し、使用者が収納容器の口部の口径に合わせて該小径開口部の口径を調節することができる組立式漏斗を提供するという本発明の第七の課題を解決することができる。
【００４６】
請求項６に記載した組立式漏斗は、略半円状のパネル部材であって漏斗本体を形成する個々のパネル部材の上辺から延設されている前記鍔部が設けられているところ、使用者は該鍔部を把持しながら収納容器に収納物を収納する作業を行うことができる。また、請求項７に記載した組立式漏斗は、該鍔部に穿設されている前記孔部をフック部材に係止して収納容器に収納物を収納する作業を行うことができる。従って、請求項６及び７に記載した組立式漏斗は、本発明が解決しようとする第一の課題を解決するために、一層好適である。
【００４７】
請求項６に記載した組立式漏斗は、前記鍔部が備えられているために、蓋部材がポンプ部材となっている蓋付きの収納容器における蓋部材を該鍔部に係止させることにより、該蓋部材を前記漏斗本体内に安定的に収容することができる。また、その形状等によっては該蓋部材を該鍔部の縁に係止させることが困難な場合もあるところ、請求項８に記載した組立式漏斗は、該鍔部に該蓋部材を係止するための係止突起が設けられているため、例えば、該蓋部材に接続されている吸出しパイプを前記小径開口部内に挿し入れても、該蓋部材を該係止突起に係止させることにより、該蓋部材を前記漏斗本体内に安定的に収容することができる。ここで、該小径開口部は、前記の通り、その面積が大きく確保されていることから、該吸出しパイプを差し入れても、収納物を収納容器に収納する際には支障とならない。従って、請求項４及び６に記載した組立式漏斗は、本発明が解決しようとする第四の課題を解決するために、一層好適である。
【図面の簡単な説明】
【００４８】
【図１】本発明の一実施形態に係る組立式漏斗を立体状に組み立てた際の正面図である。
【図２】本発明の一実施形態に係る組立式漏斗を立体状に組み立てた際の平面図である。
【図３】図２に示す組立式漏斗のＡ−Ａ線切断部端面図である。
【図４】本発明の一実施形態に係る組立式漏斗の使用状態を示した正面図である。
【図５】本発明の一実施形態に係る組立式漏斗を平面状に折り畳んだ際の正面図である。
【図６】従来技術に係る組立式漏斗の使用状態を示した斜視図である。
【発明を実施するための形態】
【００４９】
以下、本発明の一実施形態に係る組立式漏斗の構造及びその使用態様について添付図面に基づいて説明する。
【００５０】
組立式漏斗１は、図１から５までに図示するように、漏斗本体２と、脚部３と、係止部４と、鍔部５と、嵌合部６とからなる。組立式漏斗１を形成する材料としては、公知の各種の金属材料又は樹脂材料を用いることができるが、例えば、耐熱性プラスチックを用いると、使用後の天ぷら油のような高温の収納物を収納容器内へと収納する際にも組立式漏斗１を用いることができるとともに、簡単に成型することができて、好適である。
【００５１】
漏斗本体２は、図２に図示するように、六枚の平面視台形状のパネル部材を環状に繋ぎ合わせて形成されている。該パネル部材を繋ぎ合わせている箇所は溝状の折り曲げ部２ｃになっており、使用者が折り曲げ部２ｃに沿って漏斗本体２を折り曲げることによって、組立式漏斗１を使用しない時には平面状に折り畳んでおくことができ、組立式漏斗１を使用する時には立体状に組み立てることができるようになっている。
【００５２】
漏斗本体２は、図１に図示するように、立体状に組み立てた際に側面から見た開き角度が鈍角になるように形成されているために、大径開口部２ａの面積を広く確保することができるようになっている。
【００５３】
漏斗本体２は、図２に図示するように、その内周面から突出するようにして尾根状の接着防止部２ｄが設けられている。とりわけ、組立式漏斗１を用いて天ぷら油のような粘性の高い収納物を収納容器内へと収納した後に、組立式漏斗１を平面状に折り畳んだ場合、漏斗本体２の内周面に僅かに残存している該収納物により、漏斗本体２の内周面が接着されてしまうことが懸念される。接着防止部２ｄが設けられていることにより、組立式漏斗１を平面状に折り畳んだ際にも、漏斗本体２の内周面には僅かな隙間が生じることから、漏斗本体２の内周面が接着されてしまうことを防止できる。
【００５４】
漏斗本体２は、図２に図示するように、漏斗本体２を形成する六枚のパネル部材の内の脚部３が延設されていない三枚のパネル部材における中央下部に溝状の折り曲げ部２ｅが設けられている。収納容器の口部の口径は様々であるところ、使用者が折り曲げ部２ｅに沿って漏斗本体２を折り曲げることによって、該口部の口径に合わせて、小径開口部２ｂの口径を調節することができる。
【００５５】
脚部３は、図１、３、４、及び５に図示するように、三本の柱状部材から形成されており、漏斗本体２の下部から軸方向に延設されていて、漏斗本体２を形成する六枚のパネル部材の内の折り曲げ部２ｅが設けられていない三枚のパネル部材の下部に一つ置きに取り付けられている。脚部３を形成する柱状部材としては、断面形状が台形状ないし円弧状の柱状部材を用いると、脚部３の強度が向上して、好適である。使用者は、脚部３を収納容器の口部内に挿し入れることによって、組立式漏斗１を該口部に安定的に立設することができる。
【００５６】
また、漏斗本体２の外周面と収納容器の口部の内周面とが密着していると、収納物を収納容器内へと収納する際に、収納容器内の空気が収納容器外へと排出され難くなり、収納物を収納容器内へと収納する際に多大な時間を要してしまう。しかしながら、組立式漏斗１は、図４に図示するように、上記のような脚部３を備えることにより、漏斗本体２の外周面と該口部の内周面との間に間隙を生じることから、収納物を収納容器内へと収納する際に、収納容器内の空気が収納容器外へと排出され易くなり、収納物を収納容器内へと収納する際に要する時間を短縮することができる。
【００５７】
係止部４は、図１、３、４、及び５に図示するように、漏斗本体２の外周面から外側に向かって凸状に突出するようにして設けられている部材である。使用者が組立式漏斗１を一定の長さ以上に不用意に収納容器の口部内へと挿し入れてしまうことにより、漏斗本体２が窄まってしまうことが懸念される。しかしながら、係止部４が該口部の上縁部に突き当たることにより、使用者が組立式漏斗１を一定の長さ以上に収納容器の口部内へと挿し入れてしまうことを防止できるため、漏斗本体２が窄まってしまうことがなくなり、漏斗本体２が組立式漏斗１を立体状に組み立てた際に側面から見た開き角度が鈍角になることを維持できるのである。
【００５８】
鍔部５は、図２に図示するように、略半円状のパネル部材であって、漏斗本体２を形成する個々のパネル部材の上辺から延設されている。鍔部５は、使用者が組立式漏斗１を収納容器の口部に対して着脱する際の持ち手となる箇所である。また、漏斗本体２の上辺部は破損し易い箇所であるところ、鍔部５を延設することにより、漏斗本体２の上辺部の強度を向上させることができる。あわせて、例えば、液状の洗髪剤を収納する容器に対する該洗髪剤の詰め替え作業を行う場合のように、蓋部材がポンプ部材となっている蓋付きの収納容器に収納物を収納するときには、該蓋部材に接続されている吸出しパイプ内に残留している収納物が漏れ出して周囲を汚染してしまうという問題がある。組立式漏斗１によれば、上記の通り、大径開口部２ａの面積が広く確保されているとともに、鍔部５に該蓋部材を係止させることができるため、該蓋部材を漏斗本体２内に収容し、鍔部５に該蓋部材を係止させることにより、該吸出しパイプ内に残留している収納物が漏れ出して周囲を汚染することを防止できるのである。
【００５９】
ここで、漏斗本体２を形成しているパネル部材と鍔部５を形成しているパネル部材とを繋ぎ合わせている箇所は、図２に図示するように、溝状の折り曲げ部５ｃとなっており、使用者が折り曲げ部５ｃに沿って鍔部５を折り曲げることによって、組立式漏斗１を使用しない時には平面状に折り畳んでおくことができ、組立式漏斗１を使用する時には立体状に組み立てることができるようになっている。
【００６０】
また、図２に図示するように、鍔部５には組立式漏斗１をフック部材に掛けるための孔部５ａが穿設されている。組立式漏斗１をフック部材に掛けて用いることにより、収納容器への収納物の収納作業を更に安定的に行うことができるようになり、好適である。
【００６１】
そして、図２に図示するように、鍔部５には蓋付き収納容器に係る蓋部材を漏斗本体２の内部に収容する際に該蓋部材を係止するための凸状の係止突起５ｂが設けられている。組立式漏斗１によれば、上記の通り、蓋部材がポンプ部材となっている蓋付き収納容器に係る蓋部材を鍔部５に係止させることができるが、その形状等によっては該蓋部材を鍔部５に係止させることが困難な場合もある。そのような場合には、例えば、該蓋部材に接続されている吸出しパイプを小径開口部２ｂ内に挿し入れて、該蓋部材を係止突起５ｂに係止させることにより、該蓋部材を漏斗本体２内に安定的に収容することができる。ここで、小径開口部２ｂは、前記の通り、その面積が大きく確保されていることから、該吸出しパイプを差し入れても、収納物を収納容器に収納する際には支障とならない。このように、係止突起５ｂを設けることによって、鍔部５に対する該蓋部の係止をより確実に行うことができるようになり、好適である。
【００６２】
嵌合部６は、図２に図示するように、漏斗本体２の内周面の対向する位置に凹凸状に設けられており、一方が係止端６ａになっているのに対して、他方が係止孔６ｂとなっている。使用者は、組立式漏斗１を使用しないときには、係止端６ａを係止孔６ｂに嵌合させておくことにより、組立式漏斗１を平面状に折り畳んで閉じた状態を維持することができるため、不用意に開いた状態になることを防止することができる。一方、使用者は、組立式漏斗１を使用するときには、対向する鍔部５を反対方向に引っ張ることにより、係止端６ａを係止孔６ｂから取り外して嵌合状態を簡単に解除することができる。
【符号の説明】
【００６３】
１  組立式漏斗
２  漏斗本体
２ａ  大径開口部
２ｂ  小径開口部
２ｃ  折り曲げ部
２ｄ  接着防止部
２ｅ  折り曲げ部
３  脚部
４  係止部
５  鍔部
５ａ  孔部
５ｂ  係止突起
５ｃ  折り曲げ部
６  嵌合部
６ａ  係止端
６ｂ  係止孔
【図１】
2014181041.tif 000003
【図２】
2014181041.tif 000004
【図３】
2014181041.tif 000005
【図４】
2014181041.tif 000006
【図５】
2014181041.tif 000007
【図６】
2014181041.tif 000008